(57)【要約】【課題】住宅の壁内に設けられた機器からの排熱が居住空間内の環境に悪影響を与えることがなく、その機器の維持管理および更新を容易に行うことができ、機器の収容箇所の防犯性を向上することができる住宅の提供。【解決手段】住宅内に設けられる車庫の第二空間６の屋外に面する壁部１４には、屋外方向へ屋外側開口部３５が開口する中空部３７が形成されている。中空部３７の屋外側開口部３５には、扉４３が開閉可能に設けられている。中空部３７の屋外側開口部３５を開閉する扉４３を施錠または解錠する電子錠は、制御手段によって、予め設定された時間のみ解錠可能に制御される。従って、中空部３７内に収納された機器４８からの排熱は、車庫の第二空間６内に放出される。また、電子錠の解錠が設定された時間のみ可能となっているので、機器４８の維持管理および更新を容易に行うことができ、防犯性に優れている。【選択図】図４
2020076261.tif 000002
【特許請求の範囲】
【請求項１】
内部に車庫が設けられた住宅であって、
前記車庫の屋外に面する壁部には、屋外方向へ屋外側開口部が開口する中空部が形成され、
前記屋外側開口部には、扉が開閉可能に設けられており、
前記扉を施錠または解錠する電子錠は、制御手段によって、予め設定された時間のみ解錠可能に制御される
ことを特徴とする住宅。
【請求項２】
前記屋外に面する壁部には、前記中空部に隣接して、前記車庫の車の出入口とは別の出入口が設けられ、
前記車庫と居住空間との間の壁部には、前記車庫と前記居住空間との間を行き来可能とする出入口が設けられている
ことを特徴とする請求項１に記載の住宅。
【請求項３】
前記住宅の敷地には、前記別の出入口を介して前記車庫と前記住宅の敷地に面する道路とを行き来可能とする通路が設けられている
ことを特徴とする請求項２に記載の住宅。
【請求項４】
前記中空部は、屋内方向へ屋内側開口部が開口しており、
前記屋内側開口部には、扉が開閉可能に設けられている
ことを特徴とする請求項１〜３のいずれか１項に記載の住宅。
【請求項５】
前記制御手段は、前記屋外側開口部を開閉する扉の前記電子錠と前記車庫の車の出入口を開閉する扉を施錠または解錠する電子錠との内、一方を解錠した際に他方を連動して解錠するように制御する
ことを特徴とする請求項１〜４のいずれか１項に記載の住宅。
【発明の詳細な説明】
【技術分野】
【０００１】
本発明は、内部に車庫が設けられた住宅に関するものであり、特に、車庫の屋外に面する壁部に点検が必要な機器の収容部が設けられた住宅に関するものである。
【背景技術】
【０００２】
下記特許文献１には、電気メーター、給湯器およびガスメーターの配置を工夫することで、住宅の美観を向上させることができる壁面構造が開示されている。この壁面構造では、壁面の適宜位置に、開閉可能な扉が設けられた収納ボックスが埋め込まれており、その収納ボックス内に、電気メーター、給湯器およびガスメーターが一括して収納されている。
【先行技術文献】
【特許文献】
【０００３】
【特許文献１】実開平７−１０２１４号公報
【発明の概要】
【発明が解決しようとする課題】
【０００４】
しかしながら、従来の場合、住宅のどの壁面に収納ボックスが取り付けられるかについて、考慮されていない。従って、台所などの居住空間の壁面に収納ボックスが埋め込まれた場合、給湯器からの排熱により、居住空間内の環境が悪化するおそれがある。そこで、これを防止するために、収納ボックスに給湯器からの排熱が伝わらない材質の遮熱部材を設けることが考えられるが、その場合、遮熱部材にコストがかかってしまう。また、収納ボックスを遮熱部材から形成することが考えられるが、その場合、収納ボックスの製造にかかるコストが高くなる。
【０００５】
収納ボックス内に収納される電気メーター、給湯器およびガスメーターは、保守や点検などのメンテナンスが必要である。従来の場合、電気メーターなどの機器が収納ボックス内に収納されているので、居住者が不在であっても、機器のメンテナンスを行って、機器の維持管理を行うことができる。また、屋外から機器のメンテナンスを行って、機器の更新を行うことができる。ところが、従来の場合、収納ボックスに扉が設けられているだけなので、メンテナンス業者だけでなく、誰でもがいつでも扉を開けることができ、防犯上好ましくない。
【０００６】
本発明は、このような問題に鑑みてなされたものであり、その主たる目的は、住宅の壁内に設けられた機器からの排熱が居住空間内の環境に悪影響を与えることがなく、その機器の維持管理および更新を容易に行うことができ、機器の収容箇所の防犯性を向上することができる住宅を提供することにある。
【課題を解決するための手段】
【０００７】
上記目的を達成するための本発明に係る住宅は、内部に車庫が設けられた住宅であって、前記車庫の屋外に面する壁部には、屋外方向へ屋外側開口部が開口する中空部が形成され、前記屋外側開口部には、扉が開閉可能に設けられており、前記扉を施錠または解錠する電子錠は、制御手段によって、予め設定された時間のみ解錠可能に制御されることを特徴とする。
【０００８】
また、本発明に係る住宅は、前記屋外に面する壁部には、前記中空部に隣接して、前記車庫の車の出入口とは別の出入口が設けられ、前記車庫と居住空間との間の壁部には、前記車庫と前記居住空間との間を行き来可能とする出入口が設けられていることを特徴とする。
【０００９】
また、本発明に係る住宅は、前記住宅の敷地には、前記別の出入口を介して前記車庫と前記住宅の敷地に面する道路とを行き来可能とする通路が設けられていることを特徴とする。
【００１０】
また、本発明に係る住宅は、前記中空部は、屋内方向へ屋内側開口部が開口しており、前記屋内側開口部には、扉が開閉可能に設けられていることを特徴とする。
【００１１】
さらに、本発明に係る住宅は、前記制御手段は、前記屋外側開口部を開閉する扉の前記電子錠と前記車庫の車の出入口を開閉する扉を施錠または解錠する電子錠との内、一方を解錠した際に他方を連動して解錠するように制御することを特徴とする。
【発明の効果】
【００１２】
本発明に係る住宅によれば、内部に設けられた車庫の屋外に面する壁部には、屋外方向へ屋外側開口部が開口する中空部が形成され、その屋外側開口部には開閉可能な扉が設けられている。従って、中空部に機器を収納した場合、機器からの排熱が車庫に放出される。すなわち、屋外に近い環境の空間に排熱することができるので、住宅の居住空間に悪影響を与えることがない。また、中空部の扉を施錠または解錠する電子錠が設定された時間のみ解錠できるよう制御されるので、機器の維持管理および更新を容易に行うことができ、防犯性に優れている。
【００１３】
また、本発明に係る住宅によれば、内部に設けられる車庫の屋外に面する壁部に、機器が収納される中空部に隣接して、車庫の出入口とは別の出入口が設けられると共に、車庫と居住空間との間の壁部に出入口が設けられる。従って、車庫と居住空間との間の出入口および前記別の出入口を介して、住宅内から機器が収容された中空部の屋外側へ容易に行くことができるので、居住者による機器のメンテナンス時の移動を楽に行うことができる。
【００１４】
また、本発明に係る住宅によれば、前記別の出入口を介して、車庫と敷地に面する道路との間を行き来可能とする通路が設けられている。従って、居住者が住宅内と道路との間を行き来する際に用いられる通路と、業者が道路と機器を収容した中空部の屋外側との間を行き来する際に用いられる通路とを共通化することができる。
【００１５】
また、本発明に係る住宅によれば、車庫の屋外に面する壁部に形成される中空部の屋内側開口部に、開閉可能な扉が設けられている。従って、車庫側から中空部内の機器のメンテナンスを行うことができる。
【００１６】
さらに、本発明に係る住宅によれば、機器が収容される中空部の屋外側開口部の扉の電子錠と車庫の車の出入口を開閉する扉の電子錠とを連動して解除できるので、業者の車を車庫に駐車することができる。
【図面の簡単な説明】
【００１７】
【図１】本発明の一実施例の住宅の一階の構成を示す間取り図であり、一部を省略して示している。
【図２】図１の住宅の要部の概略斜視図であり、屋外側から見た状態を示している。
【図３】図１の住宅の要部の概略斜視図であり、屋内側から見た状態を示している。
【図４】図１の住宅の要部の概略拡大横断面図である。
【図５】図１の住宅に用いられる電子錠のシステムの構成を示すブロック図である。
【発明を実施するための形態】
【００１８】
以下、本発明の住宅の具体的実施例を図面に基づいて詳細に説明する。
【００１９】
図１から図４は、本発明の住宅の一実施例を示す概略図であり、図１は一階の構成の一部を省略して示す間取り図、図２は要部の屋外側から見た状態を示す概略斜視図、図３は要部の屋内側から見た状態を示す概略斜視図、図４は図１の要部の概略拡大横断面図である。本実施例の住宅１は、内部に車庫２が設けられた住宅であって、いわゆるビルトインガレージを有している。ここでは、住宅１は、二階建てとされるが、これに限定されるものではなく、平屋であってもよいし、三階建て以上であってもよい。住宅１の一階は、奥行方向手前側に配置される車庫２と、奥行方向奥側に配置される居住空間３とを備える。
【００２０】
車庫２は、上面視略四角形状に形成されており、車が駐車されるスペースである駐車空間４と、駐車空間４と独立して配置される二つの空間である第一空間５および第二空間６とを有している。駐車空間４は、奥行方向を長手方向とする上面視略長方形状に形成されており、手前側に車の出入口７が開口している。車の出入口７には、開閉可能な扉８が設けられており、この扉８は、電子錠９（図５）により施錠または解錠可能とされる。第一空間５は、上面視略四角形状に形成されており、駐車空間４の奥行方向手前側において、駐車空間４の間口方向一方側に隣接して配置される。第二空間６は、上面視略四角形状に形成されており、駐車空間４の奥行方向奥側において、駐車空間４の間口方向一方側に隣接して配置される。
【００２１】
ここで、第一空間５と第二空間６とは、奥行方向へ沿って隣接して配置される。この際、第一空間５は、住宅１の奥行方向手前側の壁部１０、および住宅１の間口方向一方側の壁部１１が屋外に面している。両壁部１０，１１にはそれぞれ、窓１２，１３が設けられる。第二空間６は、住宅１の間口方向一方側の壁部１４が屋外に面している。
【００２２】
駐車空間４と第二空間６との間の壁部１５には、互いに行き来可能とする出入口１６が設けられており、この出入口１６には開閉可能な扉１７が設けられる。第一空間５と第二空間６との間の壁部１８には、互いに行き来可能とする出入口１９が設けられており、この出入口１９には開閉可能な扉２０が設けられる。また、第二空間６の壁部１４には、第二空間６の内外を連通する出入口２１が設けられており、この出入口２１には開閉可能な扉２２が設けられる。図示例では、第二空間６の扉２２は、引違い扉とされる。
【００２３】
居住空間３は、上面視略矩形状に形成されており、車庫２の奥側に隣接して配置される。この際、居住空間３は、住宅１の間口方向一方側の壁部２３が屋外に面している。図１に示されるように、居住空間３の壁部２３、第二空間６の壁部１４および第一空間５の壁部１１は、連続して形成されている。また、居住空間３は、住宅１の奥行方向奥側の壁部２４が屋外に面しており、この壁部２４には窓２５が設けられる。居住空間３と車庫２との間の壁部には、互いに行き来可能とする出入口２６が設けられている。本実施例では、居住空間３と第二空間６との間の壁部２７には、互いに行き来可能とする出入口２６が設けられており、この出入口２６には開閉可能な扉２８が設けられる。なお、各扉１７，２０，２２，２８は、鍵付きの扉とされる。
【００２４】
本実施例では、第一空間５は、特に限定されるわけではないが、たとえば、趣味のための空間とされる。典型的には、第一空間５は、何か物を作ったりするための作業空間とされる。第二空間６は、駐車空間４、第一空間５または居住空間３から屋外へ出る際に通ったり、屋外から駐車空間４、第一空間５または居住空間３へ入る際に通ったり、または各空間３，４，５を互いに行き来する際に通る通路とされる。居住空間３は、住宅１の間口方向一方側に配置される家事室２９と、住宅１の間口方向他方側に配置される台所３０とを有している。家事室２９と台所３０とは、隣接して配置されており、互いに行き来可能とされている。ここで、家事室２９は、家事を行うための空間とされ、家事をする際に用いられる道具を収納することができる収納部３１を有している。
【００２５】
なお、図示では省略されているが、前述した車庫２および居住空間３には、間口方向他方側に隣接して、玄関や他の居住空間などが配置される。このような構成の住宅１の一階の上部には、住宅１の二階が重ね合わされて配置される。これにより、車庫２の上部は、住宅１の二階に覆われる。すなわち、住宅１の一階には、内部に車庫２が設けられることになる。
【００２６】
図１に示されるように、住宅１の敷地には、車庫２の車の出入口７とは別の出入口２１を介して、車庫２と住宅１の敷地に面する道路３２とを行き来可能とする通路３３が設けられている。本実施例では、第二空間６の壁部１４に形成された出入口２１を介して、車庫２の第二空間６と道路３２とを行き来可能とする通路３３が設けられている。この通路３３は、人が通るための通路であり、勝手口である出入口２１と道路３２との間に設けられるものである。また、住宅１の敷地には、車庫２の駐車空間４と道路３２との間に、車の出入口７を介して互いに行き来可能とする通路３４が設けられている。この通路３４は、駐車空間４の奥行長さと略同一の奥行長さを有しており、車を奥行方向へ沿って停めることができる。
【００２７】
本実施例の住宅１では、車庫２の屋外に面する壁部には、屋外方向へ屋外側開口部３５が開口すると共に、屋内方向へ屋内側開口部３６が開口する中空部３７が形成されている。図示例では、車庫２の第二空間６の屋外に面する壁部１４の下端部に、屋外側または屋内側から見て略四角形状の中空部３７が形成されている。すなわち、第二空間６の屋外に面する壁部１４には、内外を連通する貫通穴が形成されている。なお、本実施例では、中空部３７は、上下長さが約１ｍで、横方向の長さが約１ｍに形成されている。
【００２８】
前述したように、中空部３７および勝手口である出入口２１は、第二空間６の屋外に面する壁部１４に設けられている。この際、第二空間６の屋外に面する壁部１４には、中空部３７に隣接して出入口２１が設けられている。従って、通路３３を通って中空部３７の屋外側に人が行くことができる。
【００２９】
図４に示されるように、第二空間６の屋外に面する壁部１４に形成される中空部３７は、壁部１４の隣接する柱材３８とその柱材３８，３８間に架け渡される横材とで区画される枠内に形成される。この際、柱材３８の屋外側に配置される外壁材３９に開口して屋外側開口部３５が形成される一方、柱材３８の屋内側に配置される内壁材４０に開口して屋内側開口部３６が形成され、さらに壁内の断熱材などの内部構成材が取り除かれることで、壁部１４に中空部３７が形成される。
【００３０】
壁部１４に形成された中空部３７内には、略矩形ボックス状の箱体４１が設けられる。この箱体４１は、軸方向両端部が開口した筒状の箱本体４２と、箱本体４２の軸方向一端側の開口を開閉する第一蓋体４３と、箱本体４２の軸方向他端側の開口を開閉する第二蓋体４４とを有している。箱本体４２は、略四角形の角筒状に形成されており、中空部３７内に配置された状態において、柱材３８および横材に釘などで固定される。この際、箱本体４２は、軸方向が壁部１４の屋内外方向へ沿うようにして、中空部３７内に配置される。第一蓋体４３は、略四角形の板状に形成されており、箱本体４２の軸方向一端部にヒンジで開閉可能に設けられている。第二蓋体４４は、略四角形の板状に形成されており、箱本体４２の軸方向他端部にヒンジで開閉可能に設けられている。
【００３１】
従って、中空部３７の屋外側開口部３５は、第一蓋体４３によって開閉可能とされ、中空部３７の屋内側開口部３６は、第二蓋体４４によって開閉可能とされている。すなわち、第一蓋体４３が中空部３７の屋外側開口部３５を開閉する扉とされる一方、第二蓋体４４が中空部３７の屋内側開口部３６を開閉する扉とされる。このようにして、中空部３７の屋外側開口部３５および屋内側開口部３６にはそれぞれ、扉４３，４４が開閉可能に設けられている。屋外側開口部３５に設けられる扉４３は、電子錠４５（図５）により施錠および解錠可能とされる。
【００３２】
中空部３７の屋外側開口部３５を開閉する扉４３の屋外側の面には、壁部１４の外壁材３９と同一の柄が施されている。たとえば、扉４３の屋外側の面には、外壁材３９を模して形成された板材４６が設けられる。また、中空部３７の屋内側開口部３６を開閉する扉４４の下端部には、図３に示されるように、中空部３７内と第二空間６とを連通するガラリ４７が設けられる。
【００３３】
中空部３７内に設けられる箱体４１内部には、保守および点検が必要とされる機器４８が収納される。たとえば、機器４８は、給湯器、ガスメータ、水道メータおよび電気メータなどとされる。また、保守および点検が必要な機器４８としては、通常は屋内に設置される機器であってもよく、たとえば、サーバが挙げられる。なお、中空部３７内には、これらの機器４８の内、排熱がある機器が収納されるのが好ましい。
【００３４】
ところで、図３に示されるように、本実施例では、車庫２の屋外に面する壁部である第二空間６の壁部１４には、中空部３７よりも上側において、屋内側の面に屋外方向へ凹んで凹部４９が形成されている。凹部４９は、屋内側から見て略四角形状とされ、壁部１４の上端部を残して形成されている。凹部４９の下端部には、情報端末の充電器などの物を置くことができる板材５０が板面を上下に向けた状態で設けられる。壁部１４の凹部４９が形成された箇所の壁面には、車の鍵などの物を引っ掛けることができるフック５１が複数設けられる。凹部４９の上端部には、照明５２が設けられる。壁部１４内には、凹部４９よりも上側において、台所３０から延出したダクト管が配設される。具体的には、ダクト管は、前述したようにして残された壁部１４内に配設される。ダクト管の一端部は、残された壁部１４の屋外側に形成された排気穴に接続される。
【００３５】
次に、中空部３７の屋外側開口部３５を開閉する扉４３を施錠または解錠する電子錠４５、および車庫２の車の出入口７を開閉する扉８を施錠または解錠する電子錠９の解錠操作について説明する。図５は、本実施例の住宅に用いられる電子錠のシステムの構成を示すブロック図である。この図に示されるように、本実施例のシステムは、前述した二つの電子錠９，４５と、二つの電子錠９，４５を解錠するための認証情報を読み取る読取手段５３と、二つの電子錠９，４５を制御する制御手段５４とを備える。
【００３６】
本実施例では、認証情報として、ＱＲコード（登録商標）が用いられる。ＱＲコードは、予め、公知の方法で、解錠操作を行う者の情報端末などに画像として登録されている。なお、認証情報は、ＱＲコードに限定されるものではなく、たとえば、ＩＣチップが内蔵された非接触型のカードからの情報であってもよいし、テンキーを操作することで入力される暗証番号であってもよい。
【００３７】
読取手段５３は、車庫２の屋外側に設けられており、外部からの認証情報の入力を受け付けることができる手段である。本実施例では、読取手段５３は、認証情報としてＱＲコードが用いられているので、そのＱＲコードをカメラにより撮影するものとされる。
【００３８】
制御手段５４は、記憶部５５およびＣＰＵ５６を備える。記憶部５５は、認証情報との照合に用いられる照合情報が記憶されている。本実施例では、認証情報としてＱＲコードが用いられているので、記憶部５５には、認証情報のＱＲコードと同一のＱＲコードが記憶されている。ＣＰＵ５６は、いわゆる中央演算処理装置であり、本実施例では、照合部５７および錠制御部５８，５９を有している。照合部５７は、読取手段５３からの認証情報と記憶部５５の照合情報とを照合するものである。錠制御部５８は、照合部５７での照合結果に基づき、車の出入口７の扉８の電子錠９を解錠することができる。一方、錠制御部５９は、照合部５７での照合結果に基づき、中空部３７の屋外側開口部３５の扉４３の電子錠４５を解錠することができる。
【００３９】
本実施例では、中空部３７の屋外側開口部３５を開閉する扉４３の電子錠４５は、制御手段５４によって、予め設定された時間のみ解錠可能に制御される。これに加えて、制御手段５４は、車庫２の車の出入口７を開閉する扉８の電子錠９を解錠した際に、中空部３７の屋外側開口部３５を開閉する扉４３の電子錠４５を連動して解錠するように制御する。従って、解錠処理は、以下のとおりである。
【００４０】
本実施例では、まず、解錠操作を行う者は、情報端末の画面に、その情報端末に記憶されたＱＲコードを表示し、ＱＲコードが表示された画面を読取手段５３にさらす。ＱＲコードが読取手段５３にさらされると、読取手段５３のカメラによりＱＲコードが撮影され、撮影されたＱＲコードの画像が照合部５７に送信される。照合部５７では、撮影されたＱＲコードの画像と、記憶部５５に記憶されているＱＲコードの画像とが一致するか否かが判断される。ここで、本実施例の場合、予め設定された時間のみ解錠可能とされているので、記憶部５５には、ＱＲコードが解錠可能時間と対応付けて記憶されている。一方、制御手段５４は、それ自身が現在の時間を把握することができる。従って、ＱＲコードの画像同士が一致するか否かが判断されると共に、現在の時間が解錠可能時間と一致するか否かが判断される。
【００４１】
双方が一致すると判断された場合には、錠制御部５８に電子錠９を解錠するための信号が送信される。これにより、錠制御部５８によって、車庫２の車の出入口７を開閉する扉８の電子錠９が解錠される。電子錠９が解錠されると、電子錠９から錠制御部５８に電子錠９が解錠された信号が送信される。そして、もう一方の錠制御部５９に、電子錠４５を解錠するための信号が送信される。これにより、錠制御部５９によって、中空部３７の屋外側開口部３５を開閉する扉４３の電子錠４５が解錠される。一方、画像同士および／または時間同士が一致しないと判断された場合には、電子錠９の解錠が行われず、それに伴う電子錠４５の解錠も行われない。なお、中空部３７側の電子錠４５と車庫２側の電子錠９とは、それぞれ独立して施錠される。
【００４２】
本実施例の住宅１の場合、車庫２の第二空間６の屋外に面する壁部１４に、機器４８が収容される中空部３７が形成されているので、機器４８からの排熱を第二空間６に放出することができる。第二空間６は、主に通路として用いられる空間であるので、機器４８からの排熱が放出されても、問題はない。また、本実施例の住宅１の場合、中空部３７の屋外側開口部３５を開閉する扉４３の電子錠４５は、予め設定された時間のみ解錠可能とされている。従って、設定された時間以外には解錠することができないので、防犯性をより向上することができる。その上、中空部３７の扉４３の電子錠４５は、車庫２の車の出入口７の扉８の電子錠９に連動して解錠することができる。従って、機器４８の点検を行う業者の車を車庫２に駐車することができると共に、機器４８の点検時の手間を減らすことができる。
【００４３】
また、本実施例の住宅１の場合、第二空間６の屋外に面する壁部１４に出入口２１が設けられ、家事室２９と第二空間６との間の壁部２７に出入口２６が設けられている。従って、居住者は、家事室２９から第二空間６を通って屋外へ出ることができるので、中空部３７内の機器４８のメンテナンスを行う際に、容易に屋外へ出ることができる。また、本実施例の住宅１の場合、中空部３７の屋内側開口部３６を開閉する扉４４を有しているので、機器４８の屋内側からのメンテナンスを容易に行うことができる。
【００４４】
また、本実施例の住宅１の場合、第二空間６の屋外に面する壁部１４に形成された出入口２１と、敷地に面する道路３２との間において、住宅１の敷地に通路３３が設けられている。従って、業者がメンテナンス時に通る通路と、居住者が出入口２１を通って道路３２に出るための通路とを共通化することができ、敷地を有効活用することができる。また、本実施例の住宅１の場合、中空部３７の屋外側開口部３５を開閉する扉４３には、屋外側の面に外壁を模した板材４６が設けられる。従って、扉４３を目立ちにくくすることができ、住宅１の外観を悪くすることがない。
【００４５】
また、本実施例の住宅１の場合、中空部３７内には機器４８が収納される。中空部３７内に複数の機器４８を収納することで、複数の機器４８をまとめることができ、メンテナンス性を向上することができる。また、本実施例の住宅１の場合、中空部３７内にサーバなどの屋内に設置される機器４８を収納することができる。通常、屋内に設置される機器４８のメンテナンス時には、居住者の業者への対応が必要であるので、居住者の外出が制限される。また、業者に住まいに入ってもらうことになるので、防犯性を担保しにくい。しかしながら、本実施例では、屋内に設置される機器４８を屋外側からメンテナンスすることができるので、そのような不都合が生じることがない。さらに、本実施例の住宅１の場合、中空部３７内に屋内に設置される機器４８を収納することができるので、機器４８の屋内への露出をなくすことができ、屋内空間の有効活用、および屋内空間のインテリア性の向上を図ることができる。
【００４６】
本発明の住宅は、前記実施例の構成に限らず、適宜変更可能である。たとえば、前記実施例では、車庫２の車の出入口７を開閉する扉８の電子錠５の解錠に連動して、中空部３７の屋外側開口部３５を開閉する扉４３の電子錠４５が解錠されたが、これとは逆に、中空部３７側の電子錠４５の解錠に連動して、車庫２側の電子錠９を解錠するように制御してもよい。この場合、読取手段５３は、第二空間６の屋外側に設置される。すなわち、制御手段５４は、中空部３７の屋外側開口部３５を開閉する扉４３の電子錠４５と車庫２の車の出入口７を開閉する扉８の電子錠９の内、一方を解錠した際に他方を連動して解錠するように制御すればよい。また、前記実施例では、中空部３７側の電子錠４５と車庫２側の電子錠９とが連動して解錠されたが、それぞれ独立して解錠する構成であってもよい。この場合、読取手段５３は、第二空間６の屋外側に設置される。
【００４７】
さらに、前記実施例では、車庫２の奥側に居住空間３が配置される構成とされたが、これに限定されるものではなく、内部に車庫２が設けられる住宅であればよい。たとえば、車庫２の間口方向他方側に居住空間３が配置されてもよい。この場合、車庫２は、車の駐車空間４と、駐車空間４の奥側に配置される第二空間６とを有している。車庫２と屋外とは、第二空間６を介して行き来することができ、居住空間３と屋外とは、第二空間６を介して行き来することができる。車庫２と居住空間３とは、第二空間６を介して行き来することができる。
【産業上の利用可能性】
【００４８】
本発明の住宅は、内部に設けられた車庫の屋外に面する壁部内に機器を収納する際に好適に適用される。
【符号の説明】
【００４９】
１  住宅
２  車庫
３  居住空間
７  出入口
８  扉
９  電子錠
１４  壁部
２１  出入口
２６  出入口
２７  壁部
３２  道路
３３  通路
３５  屋外側開口部
３６  屋内側開口部
３７  中空部
４３  第一蓋体（扉）
４４  第二蓋体（扉）
４５  電子錠
５４  制御手段
【図１】
2020076261.tif 000003
【図２】
2020076261.tif 000004
【図３】
2020076261.tif 000005
【図４】
2020076261.tif 000006
【図５】
2020076261.tif 000007